(57)【要約】本発明は、プラズマディスプレイパネルでのビデオ画像の表示方法に関する。本発明は、プラズマディスプレイパネル（ＰＤＰｓ）に応用可能である。本発明にしたがって、移動補償の輪郭化を達成するために、サブスキャンはサブスキャンの２つの対称的なグループに分割される。さらに、前のビデオ画像に関して表示されるビデオ画像の移動は、ビデオ画像の各ピクセルにおいて移動ベクトルを生じるように判断される。最後に、ビデオ画像の各ピクセルにおいて、第二グループのサブスキャンは、判断された移動ベクトルに比例する大きさによって移動される。
2004523801.tif 000002
【特許請求の範囲】
【請求項１】
複数の基本電池を含むディスプレイパネルにビデオ画像を表示する方法であって、前記各ビデオ画像は、前記各基本電池がオンオフのいずれかであり、各サブスキャンが前記パネルの照明時間の持続期間に比例する質量を有する、前記複数のサブスキャンによってコード化されて、前記各ビデオ画像において、
−前記複数のサブスキャンが前記サブスキャンの２つの連続グループに分割され、前記２つのグループは対応する質量の同数のサブスキャンを有し、その一時的な分配は対称である段階と、
−前記ビデオ画像の各ピクセルにおける移動ベクターを生成するように、前記前のビデオ画像に関して表示される前記ビデオ画像の移動が判断される段階と、及び
−前記ビデオ画像の各ピクセルにおいて、前記第二グループのサブスキャンが判断された前記移動ベクターのほぼ半分と等しい大きさによって移動される段階とが実行されることを特徴とする方法。
【請求項２】
前記第一グループの前記サブスキャンは、前記第一グループの前記サブスキャンにおける質量増加の順番で配置されて、前記第二グループの前記サブスキャンは、前記第二グループの前記サブスキャンにおける質量減少の順番で配置されることを特徴とする請求項１に記載の方法。
【請求項３】
請求項１又は２の何れかの前記表示方法を実行する装置を有することを特徴とするプラズマディスプレイパネル。
【発明の詳細な説明】
【技術分野】
【０００１】
本発明は、プラズマディスプレイパネルにビデオ画像を表示する方法に関する。より一般的には、本発明は、電源のオンオフいずれの状態であってもよい、基本電池のマトリックスを含む、表示装置に適用する。
【背景技術】
【０００２】
プラズマディスプレイパネル（ＰＤＰｓ）技術は、得られる大型のフラットディスプレイスクリーンを可能にする。ＰＤＰｓは、一般的に２つの絶縁タイルを含み、それらタイルの間で障壁によって境界づけされた基本空間が確定される、ガスに充填された空間を確定する。基本電池は、少なくとも一つの電極を備える基本空間の各側に提供される基本空間に対応する。基本電池を達成するために、電気的な放電が電池の電極間に電圧を適用することによって対応する基本空間に生成される。次いで、電気的な放電は、基本電池で紫外線の放射を引き起こす。電池の壁に堆積された発光体は、紫外線を可視光線に変換する。
【０００３】
ＰＤＰの基本電池の操作時間は、ビデオ画像の表示時間に一致する。各表示時間は、サブスキャンと共通に呼ばれる基本時間から構成される。アドレス時間は、オン又はオフ状態の何れかに依存して基本電池に電気的パスルを送り込むか送り込まないかに存する。維持時間は、オン状態又はオフ状態で電池を維持するために与えられた時間で一連のパルスを送ることに存する。各サブスキャンは、特定の維持時間の持続期間と、かかる維持時間の持続期間に依存する質量を有する。持続時間は全体の表示時間にわたって分配され、電池の照明時間に対応する。次いで、対応するグレーレベルを再合成するために、人間の目はかかる照明時間の統合を実行する。画像の表示時間は、一時的な統合ウィンドウの残りの描写において呼ばれる。
【０００４】
照明時間の一時的な統合と関連する幾らかの問題がある。輪郭問題は、特に対象物が２つの連続画像間を移動する際に発生する。この問題は通常、かろうじて感知できるグレーレベル移り変わりで、より暗いかより軽いバンドの外観によって明示される。カラーＰＤＰｓの場合、かかるバンドはカラーである。
【０００５】
輪郭問題は、グレーレベル１２７とグレーレベル１２８との間の変遷を有する、２つの連続画像Ｉ及びＩ＋１におけるサブスキャンを示す、図１によって例示されている。この変遷は、画像ＩとＩ＋１との間の４ピクセルによって移動される。この図において、ｙ軸は時間軸を表し、ｘ軸は様々な画像のピクセルを表す。目によって実行される統合は、目が動いている対象物を追う傾向を有するので、図において示される斜線に沿った時間とともに統合することになる。したがって、異なるピクセルからの情報を統合する。統合の結果は、グレーレベル１２７と１２８との間の変遷の瞬間におけるゼロに等しいグレーレベルの外観によって明示される。ゼログレーレベルによるかかる径路は、変遷における暗いバンドを表す。反対に、変遷がレベル１２８から１２７に通過する場合、明るいバンドに対応するレベル２５５は変遷の瞬間に表現される。
【０００６】
統合誤差を減少するために、第一解決策は高質量のサブスキャンの“ブレイキング”に存する。図２は図１と同一の変遷を示すが、質量３２、６４及び１２８の３つのサブスキャンに代わって質量３２の７つのサブスキャンを備える。次いで、最大の統合誤差は、３２のグレーレベル値である。グレーレベルを異なって分配することがさらに可能であるが、しかし常に統合誤差がある。
【０００７】
欧州特許出願第０９７８８１７号で与えられた、この問題に対する別の解決策は、目が正確な情報を統合するように移動方向でサブスキャンをシフトすることによる目によってこの統合の予想に存する。この技術は、表示される画像の各ピクセルの移動ベクトルを計算するために移動推定量を使用する。それらの移動ベクトルは、ＰＤＰの基本電池に伝達されるデータを修正するために使用される。欧州特許出願第０９７８８１７号の基本的な考えは、画像の表示中に目の動きを検出することであり、さらに、目が正確な情報を統合するように電池の移動の補償データに伝達することである。この技術は図３に示される。すでに言及したように、この修正は、画像間の観察された動作によって人間の目が実行する統合を予期するために空間的にサブスキャンを移動することに存する。サブスキャンは、質量と、一時的な統合窓における一時的な位置にしたがって異なって移動される。かかる修正は、輪郭効果を引き起こす変遷の最良の結果を与える。
【発明の開示】
【発明が解決しようとする課題】
【０００８】
本発明は、輪郭効果を補償するために移動補償を使用する別の手法を提供する。
【課題を解決するための手段】
【０００９】
本発明は、複数の基本電池を含むプラズマディスプレイパネルにビデオ画像を表示する方法に関し、各ビデオ画像は、各基本電池がオンオフのいずれかであり、各サブスキャンがパネルの照明時間の持続期間に比例する質量を有する、複数のサブスキャンによってコード化される。各ビデオ画像において、下記の段階、
−複数のサブスキャンがサブスキャンの２つの連続グループに分割され、２つのグループは対応する質量の同数のサブスキャンを有し、その一時的な分配は対称である段階と、
−ビデオ画像の各ピクセルにおける移動ベクターを生成するように、前のビデオ画像に関して表示されるビデオ画像の移動が判断される段階と、及び
−ビデオ画像の各ピクセルにおいて、第二グループのサブスキャンが判断された移動ベクターのほぼ半分と等しい大きさによって移動される段階とが実行される。
【００１０】
本発明はまた、本発明のビデオ画像の表示方法を実行する装置を有する、プラズマディスプレイパネルに関する。
【発明を実施するための最良の形態】
【００１１】
本発明のさらなる特徴及び利点は、添付図を参照し、下記の詳細な記載によって明白になるであろう。
【００１２】
図１乃至３は下記において詳細に説明されない。
【００１３】
本発明によると、サブスキャンは対称に表示される画像の一時的な統合ウィンドウに配置され、サブスキャンの半分は、サブスキャンのもう一方の半分によって生成される輪郭欠損を打ち消すために、空間的にシフトされる。一つの特定のサブスキャンの配置は、サブスキャンに特異的な欠損を生じる。サブスキャンの特異的な配置が一時的に逆になった場合、欠損は空間的に逆になる。一方がもう片方に対して対称的に一致する、２つの連続グループの表示は、２つのグループが欠損を引き起こす方向に沿って整列する限りにおいて、補償される。理解し実施を簡素にするために、互いに対称的である２つのグループに分割できるピラミッド型コードと呼ばれる、コードを使用することが好ましい。ピラミッド型コードは、質量が増加し、次に、画像表示（又は統合）時間にわたって対称的に減少する、コードとして定義される。
【００１４】
図４は、サブスキャンが質量の増加する順番（図４の左側）で配置され、一方で質量が減少する順番（図４の右側）で配置される、一時的な統合の結果を例示する。
【００１５】
このようにすることで、本発明はピラミッド型の順番で配置されるサブスキャンを提供する、つまり、サブスキャンは、グループの両者で数量と質量が同一である、サブスキャンの２つのグループに分割されて、サブスキャンの第一グループはその第一グループの質量が増加する順番で配置されて、第二グループは、サブスキャンがその質量の減少する順番で配置されて、第一グループに続く。サブスキャンのかかる分割は、図５によって例示される。図５において、画像は、２つの同一グループに分割されて、ＳＳ１乃至ＳＳ１４に標識された、１４のサブスキャンで表示される。第一グループはＳＳ１乃至ＳＳ７のサブスキャンを有し、第二グループはＳＳ８乃至ＳＳ１４のサブスキャンを有する。サブスキャンＳＳ１、ＳＳ２、ＳＳ３、ＳＳ４、ＳＳ５、ＳＳ６及びＳＳ７は、サブスキャンＳＳ１４、ＳＳ１３、ＳＳ１２、ＳＳ１１、ＳＳ１０、ＳＳ９及びＳＳ８に対してそれぞれ同一である。サブスキャンのかかる配置は、対称的である。同様に、ピクセルは対称的に有利に表示される。すなわち、第一グループのピクセルのサブスキャンがオンである場合、第二グループの同一質量のサブスキャンもまたオンである。
【００１６】
奇数のグレーレベル値の場合、欠損が微細なように最下の質量のサブスキャンにのみ関係のある不均一があると提供されて、１ずつ不均一な区分を生ずることは可能である。或いは、平均値のすぐ上下に切り上げるか切り下げることが可能である。多数のサブスキャンを有することが可能である場合、半分の質量の２つのサブスキャンはまた、再度完全な対称を有するように使用されてよい。
【００１７】
図６は、ピラミッド型の順番で配置されたサブスキャンの手段によって表示される、グレーレベルＡとグレーレベルＢとの間の変遷を示す。移動しない場合、サブスキャンのかかる配置は、従来の配置で得られた配置と同一の一時的な統合を可能にする。
【００１８】
移動がある場合、本発明にしたがって、第二グループのサブスキャンは、第二グループの輪郭欠損が第一グループによって引き起こされる輪郭欠損を打ち消すように空間的に移動される。次ぎに、我々はブロック又はグループのサブスキャンによって移動のことを説明する。
【００１９】
このようにして、前の画像に関して議論されているビデオ画像の動きを表す移動ベクトルＭは、表示されるビデオ画像の各ピクセルにおいて計算されて、第二グループのサブスキャンは移動ベクトルＭの半分にほぼ等しい大きさによって移動される。
【００２０】
図７は、第二グループのサブスキャンのかかる移動を例示し、本発明による一時的な統合の結果を示す。図７において、例えば、前の図に関する４ピクセルによって、グレーレベルＡとＢとの間の変遷が移動されることが考慮される。表示されたＭのかかる量は、移動推定量によって計算される。本発明によると、第二グループのサブスキャンＳＳ８乃至ＳＳ１４は、Ｍ／２に等しい量、つまり移動方向の２ピクセルによって移動される。
【００２１】
図７で見られるように、統合誤差は２によって空間的に分割され、したがって、移動補償なしで４ピクセルに代わって２ピクセル（Ｍ／２）に関連する。加えて、選択された実施例において、図４に示されるような欠損は、接近している理由で互いに対して相互に補償する、よりわずかな大きさの２つの逆欠損と置き換えられる。
【００２２】
本発明の方法がどのように適用されるかの数の例は、図８において示される。かかる実施例において、一時的な画像統合のウィンドウは、２つのグループに分割された、それぞれの質量が１、２、４、８、１６、３２、６４、６４、３２、１６、８、４、２、１の１４の連続するサブスキャンを有する。第一グループは第一の７つのサブスキャンを有し、第二グループは最後７つのサブスキャンを有する。この実施例において、我々は、前の画像に関して４ピクセルによって移動される、グレーレベル１２８とグレーレベル１２６との間で最も悪い場合と一致する変遷を考慮する。したがって、第二グループのサブスキャンは、移動方向で２ピクセルによって移動される。
【００２３】
この実施例において、最大の統合誤差は、±４２のグレーレベル値（変遷において、グレーレベルは１７０と８４間で変化する）を有し、最大２ピクセルを含む。しかしながら、欠損の最大値と最小値との間の空間的な分離は単一のピクセルだけであり、それによって分離をわずかにする効果を有する。より大きな移動ベクターにおいて、欠損は感知できるようになるが、しかし、非常に多大に減じられる。
【００２４】
本方法はまた、別の利点を有する。加えて、同一の移動値によって、サブスキャンの半分だけが移動される。表示される画像の計算は、各サブスキャンにおいてなされる移動を計算する装置と比較して、より簡素化される。かかる方法はまた、２つの対称な領域の画像の明るさを分配し、これはビデオにおける最も共通値である、適度な明るさ値のためのより大きなエリアの点滅の現象を減じる効果を有する。
【００２５】
他の実施態様が可能である。実施例として、記載された本方法は、２つの対称的なグループに分割することによって第一及び第二グループに縦つなぎで適用されてよく、表示された画像は４つのグループに分割されて、各グループは移動が補償される。次いで、生じた効果が増大されて、欠損はよりさらに減じられる。しかしながら、これは多数のサブスキャンを必要とする。
【００２６】
非常に多くの構造が、本発明の方法を実行するために可能である。一つの実施態様は図９に示される。画像メモリ１０は、記憶される画像の流れを受ける。メモリのサイズは、記憶されるＩ−１、Ｉ及びＩ＋１の少なくとも３つの連続画像を可能にし、画像Ｉ＋１は画像Ｉ−１を使用して画像Ｉの処理中に記憶される。例えば、信号プロセッサである、計算回路１１は、議論での画像の様々なピクセルと関連する移動ベクターを計算し、上に記載の方法にしたがってサブスキャンをシフトして、イグニッション信号をプラズマタイル１４の列ドライバ１２とカラムドライバ１３に伝達する。同調回路１５は、ドライバ１２及び１３の同調のために提供される。かかる構造は、単に実例として与えられる。
【図面の簡単な説明】
【００２７】
【図１】２つの連続画像間で変遷が移動する場合における輪郭効果の発生を例示する図である。
【図２】かかる輪郭効果を補償する既知の解決策を例示する図である。
【図３】かかる輪郭効果を補償する既知の解決策を例示する図である。
【図４】本発明によりサブスキャンが配置される場合に目の一時的な統合の結果を示す図である。
【図５】サブスキャンがピラミッド型の順番で配置される一時的なウィンドウを示す図である。
【図６】ピラミッド型の順番で配置された複数のサブスキャンによりコード化されている、グレーレベルＡとグレーレベルＢとの間の変遷を示す図である。
【図７】本発明の方法を例示する図である。
【図８】本発明の方法における応用の一例を示す図である。
【図９】実行されるべき本発明の方法を可能にする装置の一例を示す図である。
【図１】
2004523801.tif 000003
【図２】
2004523801.tif 000004
【図３】
2004523801.tif 000005
【図４】
2004523801.tif 000006
【図５】
2004523801.tif 000007
【図６】
2004523801.tif 000008
【図７】
2004523801.tif 000009
【図８】
2004523801.tif 000010
【図９】
2004523801.tif 000011
【国際公開パンフレット】
2004523801.tif 000012
2004523801.tif 000013
2004523801.tif 000014
2004523801.tif 000015
2004523801.tif 000016
2004523801.tif 000017
2004523801.tif 000018
2004523801.tif 000019
2004523801.tif 000020
2004523801.tif 000021
2004523801.tif 000022
2004523801.tif 000023
2004523801.tif 000024
2004523801.tif 000025
2004523801.tif 000026
2004523801.tif 000027
2004523801.tif 000028
2004523801.tif 000029
2004523801.tif 000030
2004523801.tif 000031
【国際調査報告】
2004523801.tif 000032
2004523801.tif 000033